(57)【要約】【課題】ＩＣタグの使用時においてアンテナパターンが断線されておらず、且つ、ＩＣタグの使用後において容易にＩＣタグを読み取り不可にすることが可能なＩＣタグを提供する。【解決手段】ＩＣタグは、ＩＣチップと、アンテナと、複数の基材と、を備える。アンテナは、ＩＣチップに格納された情報を外部の装置と送受信する。複数の基材は、アンテナが実装される基材を含んでいる。複数の基材のうち、少なくとも１つの基材には、その縁部で、且つ、アンテナの位置とは異なる領域において、切れ目が形成されており、切れ目に剪断力を加えるとアンテナが切断される。このようにすることで、ユーザは、切れ目を形成する際、アンテナが断線されてしまうことはなくなる。また、ＩＣタグの使用後において、切れ目に剪断力を加えることにより、容易にＩＣタグを読み取り不可にすることが可能となる。【選択図】図１
2009070323.tif 000002
【特許請求の範囲】
【請求項１】
ＩＣチップと、
前記ＩＣチップに格納された情報を外部の装置と送受信するアンテナと、
前記アンテナが実装される基材を含む複数の基材と、を備え、
前記複数の基材のうち、少なくとも１つの基材には、その縁部で、且つ、前記アンテナの位置とは異なる領域において、切れ目が形成されており、前記切れ目に剪断力を加えると前記アンテナが切断されることを特徴とするＩＣタグ。
【請求項２】
前記複数の基材のうち、少なくとも１つの基材の面上には、前記アンテナの位置とは異なる領域において、複数の切れ目から構成される破線状の切断部が形成されていることを特徴とする請求項１に記載のＩＣタグ。
【発明の詳細な説明】
【技術分野】
【０００１】
本発明は、読み取りを無効化することが可能なＩＣタグに関する。
【背景技術】
【０００２】
ＩＣタグは、情報を記録して保持し非接触で外部装置と交信して情報交換できるので、運送や物流等における認識媒体として、あるいは商品の品質管理、在庫管理等の識別媒体のように、各種目的に多用されるようになってきている。
【０００３】
しかし、ＩＣタグは記憶した情報がＩＣチップのメモリに蓄積されているので、第三者が当該情報を故意に読み取りしようとすれば、それを効果的に防止する方法はない。特に、非接触読み取りは本人が意識しない間に読み取りされてしまうので、その過程も知ることができず、いつの間にか漏洩した情報が悪用されて蒙る弊害は多大なものとなる。このような状況を放置すれば、個人情報保護、プライバシー侵害の観点から社会的に大きな問題となる。
【０００４】
そこで、ＩＣタグを付した商品の販売等が終了し一応の目的を達した際に、ＩＣタグを商品から剥離してしまうことや、ＩＣタグの機能を破壊してしまうことが検討されている。例えば、以下の特許文献１には、アンテナパターンの少なくとも一部を横断する破線状の切断部を設け、当該破線状の切断部よりＩＣタグを２片に分断し、当該分断によりＩＣタグの読み取りを無効にする技術が記載されている。
【０００５】
【特許文献１】特開２００６−３０１８２８号公報
【発明の開示】
【発明が解決しようとする課題】
【０００６】
しかしながら、最近では、アンテナパターンが微細化しているため、破線状の切断部を設ける際にアンテナパターンが断線されてしまう可能性がある。
【０００７】
本発明は、上記の点に鑑みてなされたものであり、ＩＣタグの使用時においてアンテナパターンが断線されておらず、且つ、ＩＣタグの使用後において容易にＩＣタグを読み取り不可にすることが可能なＩＣタグを提供することを課題とする。
【課題を解決するための手段】
【０００８】
本発明の一つの観点では、ＩＣタグは、ＩＣチップと、前記ＩＣチップに格納された情報を外部の装置と送受信するアンテナと、前記アンテナが実装される基材を含む複数の基材と、を備え、前記複数の基材のうち、少なくとも１つの基材には、その縁部で、且つ、前記アンテナの位置とは異なる領域において、切れ目が形成されており、前記切れ目に剪断力を加えると前記アンテナが切断される。
【０００９】
上記のＩＣタグは、例えば、使用後に読み取りを無効化することが可能なＩＣタグであり、ＩＣチップと、アンテナと、複数の基材と、を備える。前記アンテナは、前記ＩＣチップに格納された情報を外部の装置と送受信する。前記複数の基材は、前記アンテナが実装される基材を含んでいる。前記複数の基材のうち、少なくとも１つの基材には、その縁部で、且つ、前記アンテナの位置とは異なる領域において、切れ目が形成されており、前記切れ目に剪断力を加えると前記アンテナが切断される。このようにすることで、切れ目を形成する際、アンテナが断線されてしまうことはなくなる。また、ＩＣタグの使用後には、切れ目に剪断力を加えることにより、アンテナを切断することができるので、容易にＩＣタグを読み取り不可にすることが可能となる。
【００１０】
上記のＩＣタグの他の一態様は、前記複数の基材のうち、少なくとも１つの基材の面上には、前記アンテナの位置とは異なる領域において、複数の切れ目から構成される破線状の切断部が形成されている。これにより、上述の効果に加えて、更に、前記破線状の切断部に沿って切断することができ、確実にアンテナを断線することが可能となる。
【発明を実施するための最良の形態】
【００１１】
以下、図面を参照して本発明の好適な実施形態について説明する。
【００１２】
［ＩＣタグの構成］
まず、本発明の実施形態に係るＩＣタグの構成について、図１を用いて述べる。図１（ａ）は、本実施形態に係るＩＣタグ１０の切断前の平面図である。図１（ｂ）は、図１（ａ）の切断線Ａ−Ａ´に沿ったＩＣタグ１０の断面図を示している。図２は、ＩＣタグ１０の切断後の平面図を示している。
【００１３】
ＩＣタグ１０は、ＩＣチップ１４と、アンテナ１３と、ベース基材１１と、粘着層１２、１５と、表紙１６と、シート１８と、より構成される。ベース基材１１は、例えば、ポリエチレンテレフタレート（ＰＥＴ）などのプラスティックにより形成されたフィルムである。
【００１４】
ＩＣチップ１４及びアンテナ１３は、ベース基材１１の一方の面に実装されている。ＩＣチップ１４は、所要のデータを格納している。アンテナ１３は、ベース基材１１の面上に、導電性を有するアルミニウム（Ａｌ）や銅（Ｃｕ）などの金属でパターン形成され、ＩＣチップ１４と電気的に接続されている。例えば、本実施形態に係るＩＣタグ１０では、図１（ａ）に示すように、アンテナ１３は、ベース基材１１の一方の面上にコイル状にパターン形成されている。アンテナ１３は、ＩＣチップ１４に格納されたデータを、外部装置、例えば、ＩＣタグの読み取り書き取り装置（不図示）に対し送受信する。
【００１５】
表紙１６は、粘着層１５を介して、ベース基材１１の他方の面と接着されている。表紙１６は、例えば、感熱紙などの紙で形成されている。
【００１６】
また、ＩＣタグ１０では、シート１８が、ベース基材１１の一方の面、即ち、ベース基材１１におけるＩＣチップ１４及びアンテナ１３が実装されている側の面と粘着層１２を介して接着されている。ＩＣタグ１０が商品等に取り付けられる際には、シート１８がベース基材１１より剥がされる。そして、ＩＣタグ１０の粘着層１２が形成されている面が商品等に押し当てられて貼り付けられることにより、ＩＣタグ１０は商品等に取り付けられる。ベース基材１１、表紙１６、シート１８が夫々、本発明における基材に相当する。なお、図１（ａ）では、シート１８及び粘着層１２の図示を省略している。
【００１７】
一般的なＩＣタグでは、その面上を横断するように、複数の切れ目から構成される破線状の切断部が形成されている。ユーザは、当該ＩＣタグを読み取り不可にする場合には、当該破線状の切断部よりＩＣタグを２片に分断することによりアンテナを切断し、ＩＣタグを読み取り不可にする。このような破線状の切断部は、例えばミシン目であり、ＩＣタグの面上に、切れ目を所定の間隔で連続して設けることにより形成される。しかしながら、アンテナは比較的微細なパターンとして設けられているので、アンテナに切れ目を形成することにより、アンテナが断線されてしまう可能性がある。
【００１８】
本実施形態に係るＩＣタグ１０では、図１（ａ）に示すように、その面上を横断するように、複数の切れ目から構成される破線状の切断部Ｃｔ１が形成されているものの、一般的なＩＣタグと異なり、破線状の切断部Ｃｔ１は、破線状の切断部Ｃｔｋ１、Ｃｔｋ２、Ｃｔｍより構成され、その何れもＩＣタグ１０の面上におけるアンテナ１３に対応する位置には形成されていない。つまり、破線状の切断部Ｃｔ１は、ＩＣタグ１０の面上におけるアンテナ１３の位置とは異なる領域に形成されている。また、本実施形態に係るＩＣタグ１０では、破線状の切断部Ｃｔ１に剪断力を加えるとアンテナ１３が切断されるように構成されている。例えば、図１（ａ）に示す例では、ＩＣタグ１０の面上において、縁部Ｈ１、Ｈ２から夫々、アンテナ１３に略直交する方向に破線状の切断部Ｃｔｋ１、Ｃｔｋ２が形成され、更に、アンテナ１３を隔てて、破線状の切断部Ｃｔｋ１、Ｃｔｋ２の延長線上に、破線状の切断部Ｃｔｍが形成されている。つまり、本実施形態では、ＩＣタグ１０の面上に破線状の切断部Ｃｔ１を形成する際に、アンテナ１３に切れ目が形成されることはないので、アンテナ１３が断線されてしまうことはない。なお、ここで、本実施形態に係るＩＣタグ１０では、図１（ｂ）に示すように、ベース基材１１、表紙１６、シート１８の全ての基板に破線状の切断部Ｃｔ１が形成されているものとする。
【００１９】
ユーザは、例えば、一方の縁部の位置Ｈ１に剪断力を加えると、破線状の切断部Ｃｔｋ１に剪断力が最も強くかかり、ＩＣタグ１０は、破線状の切断部Ｃｔｋ１、Ｃｔｍ、Ｃｔｋ２の順に沿って切断される。これにより、図２に示すように、ＩＣタグ１０は２片に切断され、アンテナ１３も断線される。アンテナ１３が断線されることにより、アンテナ１３の送受信機能が失われ、ＩＣタグ１０は読み取り不可となる。ここで、アンテナ１３は、ベース基板１１上に比較的微細なパターンとして設けられているので、アンテナ１３に破線状の切断部が形成されていなくても、ユーザは剪断力によりアンテナ１３を容易に切断することができる。このように、本実施形態に係るＩＣタグ１０では、破線状の切断部Ｃｔ１を形成することにより、ＩＣタグ１０を破線状の切断部Ｃｔ１に沿って切断することができ、確実にアンテナ１３を断線することができる。
【００２０】
以上に述べたことから分かるように、本実施形態に係るＩＣタグ１０では、その面上におけるアンテナ１３の位置とは異なる領域において、複数の切れ目から構成される破線状の切断部Ｃｔ１が形成され、当該破線状の切断部Ｃｔ１に剪断力を加えることによりアンテナ１３が切断されるように構成されている。これにより、ＩＣタグ１０の使用後において容易にＩＣタグを読み取り不可にすることができると共に、ＩＣタグ１０の面上に破線状の切断部を形成する際において、アンテナ１３が断線されてしまうことがなくなる。また、ＩＣタグ１０に破線状の切断部Ｃｔ１を形成することにより、ＩＣタグ１０を当該破線状の切断部Ｃｔ１に沿って切断することができるので、確実にアンテナ１３を断線することが可能となる。
【００２１】
［変形例］
次に、本発明のＩＣタグ１０の変形例について説明する。図３は、第１の変形例に係るＩＣタグ１０ａの平面図である。図３（ａ）は、ＩＣタグ１０ａの切断前の平面図を示し、図３（ｂ）は、ＩＣタグ１０ａの切断後の平面図を示している。なお、以下に述べる変形例に係るＩＣタグの構成要素について、上述の実施形態に係るＩＣタグ１０と同じ構成要素については同じ符号を付与している。
【００２２】
先に述べたＩＣタグ１０では、その面上におけるアンテナ１３の位置とは異なる領域において、複数の切れ目から構成される破線状の切断部Ｃｔ１が形成されているとしたがこれに限られない。破線状の切断部を形成する代わりに、ＩＣタグ１０の縁部で、且つ、アンテナ１３の位置とは異なる領域において、１つの切れ目のみが形成されるとしても良い。図３（ａ）に示すように、第１の変形例に係るＩＣタグ１０ａでは、その縁部で、且つ、アンテナ１３の位置とは異なる領域において、切れ目Ｃｔ２が形成されている。ここで、ＩＣタグ１０ａは、当該切れ目Ｃｔ２に剪断力を加えられるとアンテナ１３が切断されるように構成されている。例えば、図３（ａ）に示す例では、切れ目Ｃｔ２が、アンテナ１３を横切る方向に向けて形成されている。このようにしても、ユーザは、ＩＣタグ１０ａの使用後に、切れ目Ｃｔ２に剪断力を加えることにより、図３（ｂ）に示すように、ＩＣタグ１０ａを２片に切断することができ、アンテナ１３を断線して、容易にＩＣタグを読み取り不可にすることができる。第１の変形例に係るＩＣタグ１０ａにおいても、ＩＣタグ１０ａに切れ目Ｃｔ２を形成する際において、アンテナ１３には切れ目が形成されることはないので、アンテナ１３が断線されてしまうことはない。
【００２３】
図４は、第２の変形例に係るＩＣタグ１０ｂの断面図である。先に述べたＩＣタグ１０では、図１（ｂ）に示したように、ベース基材１１、表紙１６、シート１８の全ての基板に破線状の切断部Ｃｔ１が形成されているとしていた。しかしながら、表紙１６、シート１８は、感熱紙などの紙で形成されているので、破線状の切断部Ｃｔ１が形成されていなくても、ユーザの剪断力のみで容易に切断することができる。従って、図４に示すように、ユーザの剪断力のみでは切断することが難しいＰＥＴで形成されているベース基材１１に破線状の切断部Ｃｔ３が形成されてさえいれば、ユーザは、破線状の切断部Ｃｔ３に剪断力を加えることにより、アンテナ１３を切断することができ、容易にＩＣタグを読み取り不可にすることが可能である。なお、ここで、破線状の切断部Ｃｔ３は、平面図としては、図１（ａ）に示した破線状の切断部Ｃｔ１と同様の形状となっており、アンテナ１３の位置とは異なる領域に形成される。従って、第２の変形例に係るＩＣタグ１０ｂにおいても、ベース基材１１に切れ目Ｃｔ３を形成する際において、アンテナ１３に切れ目が形成されることはないので、アンテナ１３が断線されてしまうことはない。
【００２４】
また、図４に示すＩＣタグ１０ｂでは、破線状の切断部Ｃｔ３は表紙１６によって覆われているため、外部から当該破線状の切断部Ｃｔ３を認識することはできない。そのため、例えば、商品等に取り付けられているＩＣタグ１０ｂを引き千切ろうとした場合には、知らず知らずのうちに、破線状の切断部Ｃｔ３に沿ってＩＣタグ１０ｂは切断されることとなる。このようにすることで、ＩＣタグ１０ｂ（正確には、ＩＣタグ１０ｂの切断により分割された２片のうち、ＩＣチップ１４が含まれる側の１片）が盗難された場合であっても、アンテナ１３は確実に断線され、ＩＣタグ１０ｂの読み取りを不可にすることができる。これにより、ＩＣタグの不正使用防止を図ることができる。
【００２５】
なお、ベース基材１１が感熱紙などの紙で形成されており、表紙１６又はシート１８がＰＥＴなどのプラスティックで形成されている場合には、ベース基材１１に破線状の切断部Ｃｔ３が形成される代わりに、表紙１６又はシート１８に破線状の切断部Ｃｔ３が形成されるとしても良い。要は、ユーザの剪断力のみでは切断することが難しい材料で形成された基材に破線状の切断部Ｃｔ３を形成しさえすれば、上述の効果と同様の効果を得ることができる。
【００２６】
さらに、図４において、ベース基材１１に破線状の切断部Ｃｔ３が形成されるとしているが、これに限られるものではない。代わりに、図２に示したのと同様に、ベース基材１１において、アンテナ１３が実装されていない縁部に１つの切れ目のみが形成されるとしても良い。
【００２７】
以上に述べたように、本発明のＩＣタグでは、ＩＣチップと、当該ＩＣチップに格納された情報を外部の装置と送受信するアンテナと、当該アンテナが実装される基材を含む複数の基材と、を備え、当該複数の基材のうち、少なくとも１つの基材には、その縁部で、且つ、当該アンテナの位置とは異なる領域において、当該アンテナを横断する方向に向けて切れ目が形成されている。このようにすることで、切れ目を形成する際、アンテナが断線されてしまうことはなくなる。また、ＩＣタグの使用後において、切れ目に剪断力を加えることにより、アンテナを切断することができ、容易にＩＣタグを読み取り不可にすることが可能となる。
【図面の簡単な説明】
【００２８】
【図１】本実施形態に係るＩＣタグの平面図及び断面図である。
【図２】ＩＣタグの切断後の平面図である。
【図３】第１の変形例に係るＩＣタグの平面図である。
【図４】第２の変形例に係るＩＣタグの断面図である。
【符号の説明】
【００２９】
１０  ＩＣタグ、  １１  ベース基材、  １２  粘着層、  １３  アンテナ、  １４  ＩＣチップ、  １５  粘着層、  １６  表紙、  １８  シート
【図１】
2009070323.tif 000003
【図２】
2009070323.tif 000004
【図３】
2009070323.tif 000005
【図４】
2009070323.tif 000006